(57)【要約】      （修正有）【課題】  選果物の搬送に使用されないラインが必要にならず、且つタクト送り時において選果物を安定保持できる選果物用搬送ベルトを提供する。【解決手段】  選果物Ｒのホルダ２を有する一本の無端ベルト１であって、ホルダ２の無端ベルト１への取り付け又は固定の位置を、無端ベルト１のベルト長手方向と直交する仮想直線Ｌ１，Ｌ２に設定してある。平行配置された一対の無端ベルト１，１相互間に選果物Ｒのホルダ２を掛け渡してあり、ホルダ２の無端ベルト１への取り付け又は固定の位置を一対の無端ベルトのベルト長手方向と直交する仮想直線Ｌ１，Ｌ２上に設定してある。ホルダ２は、二本の仮想直線Ｌ１，Ｌ２上のうちの一方に取り付け又は固定されており、他方に移動可能に取り付けられている。【選択図】図２
2006089178.tif 000002
【特許請求の範囲】
【請求項１】
選果物のホルダを有する一本の無端ベルトであって、ホルダの無端ベルトへの取り付け又は固定の位置を、無端ベルトのベルト長手方向と直交する仮想直線上に設定してあることを特徴とする選果物用搬送ベルト。
【請求項２】
平行配置された一対の無端ベルト相互間に選果物のホルダを掛け渡してあり、ホルダの無端ベルトへの取り付け又は固定の位置、を前記一対の無端ベルトのベルト長手方向と直交する仮想直線上に設定してあることを特徴とする選果物用搬送ベルト。    
【請求項３】
ホルダは、二本の仮想直線上のうちの一方に取り付け又は固定されており、他方に移動可能に取り付けられていることを特徴とする請求項１又は２記載の選果物用搬送ベルト。
【請求項４】
ホルダは、弾性を有する板材にこれの中央部から外側に向かって延びる放射線状の切込みを入れて構成してあり、前記切込みにより成形された複数の片により選果物が把持されるようにしてあることを特徴とする請求項１乃至３のいずれかに記載の選果物用搬送ベルト。
【請求項５】
ホルダは、３本以上の保持桟により構成されており、前記３本以上の保持桟で囲まれる空域部分で選果物の保持部が形成されていることを特徴とする請求項１乃至３のいずれかに記載の選果物用搬送ベルト。
【発明の詳細な説明】
【技術分野】
【０００１】
この発明は、選果物用搬送ベルトに関するものである。
【背景技術】
【０００２】
一般に、林檎や梨等を搬送しながら糖度、傷等をチェックする場合、所謂選果物用コンベアが使用されているが、これの選果物用送用ベルトは果物がチェック位置にきたときに所定時間停止させるタクト送りを行うようにしている。したがって、タクト送りにおけるベルト停止やベルト移動の際に慣性によって選果物が転がったりしないよう、選果物を一つ一つを各別にトレーに載せて搬送するようにしている（例えば特許文献１。）。
【０００３】
しかしながら、この方式では、各選果物がトレーにより安定保持された状態となるから果物に傷を付けずに搬送できるというメリットがあるものの、以下に示す如く多数のトレーが必要となるが故に、不要となったトレーを排出するライン、滞留させるライン、回収するライン等、本来の搬送以外の多くのコンベアラインが必要になってしまう。コンベアラインが増加した場合、占有面積が大きくなると共にコンベアレイアウトが複雑になってしまう。
【特許文献１】特開平５−８４４７０号
【発明の開示】
【発明が解決しようとする課題】
【０００４】
そこでこの発明では、選果物の搬送に使用されないラインが必要にならず、且つタクト送り時において選果物を安定保持できる選果物用搬送ベルトを提供することを課題とする。
【課題を解決するための手段】
【０００５】
（請求項１記載の発明）
この発明の選果物用搬送ベルトは、選果物のホルダを有する一本の無端ベルトであって、ホルダの無端ベルトへの取り付け又は固定の位置を、無端ベルトのベルト長手方向と直交する仮想直線上に設定してある。
（請求項２記載の発明）
この発明の選果物用搬送ベルトは、平行配置された一対の無端ベルト相互間に選果物のホルダを掛け渡してあり、ホルダの無端ベルトへの取り付け又は固定の位置を、前記一対の無端ベルトのベルト長手方向と直交する仮想直線上に設定してある。
（請求項３記載の発明）
この発明の選果物用搬送ベルトは、請求項１又は２記載の発明に関し、ホルダは、二本の仮想直線上のうちの一方に取り付け又は固定されており、他方に移動可能に取り付けられている。
（請求項４記載の発明）
この発明の選果物用搬送ベルトは、請求項１乃至３のいずれかに記載の発明に関し、ホルダは、弾性を有する板材にこれの中央部から外側に向かって延びる放射線状の切込みを入れて構成してあり、前記切込みにより成形された複数の片により選果物が把持されるようにしてある。
（請求項５記載の発明）
この発明の選果物用搬送ベルトは、請求項１乃至３のいずれかに記載の発明に関し、ホルダは、３本以上の保持桟により構成されており、前記３本以上の保持桟で囲まれる空域部分で選果物の保持部が形成されている。
【発明の効果】
【０００６】
この発明の選果物用搬送ベルトによると、選果物の搬送に使用されないラインが必要にならず、且つ搬送時において選果物を安定保持できる。
【発明を実施するための最良の形態】
【０００７】
以下にこの発明の選果物用搬送ベルトを実施するための最良の形態としての実施例について詳細に説明する。
【実施例１】
【０００８】
図１はこの発明の実施例１の選果物用搬送ベルトＢＴの正面図、図２は前記選果物用搬送ベルトＢＴの一端側の拡大斜視図、図３は前記選果物用搬送ベルトＢＴの一部平面図、図４は選果物Ｒを保持した前記選果物用搬送ベルトＢＴの断面図、図５は無端ベルト１にホルダ２を止める形態を示す断面図を示している。
（選果物用搬送ベルトＢＴの構造について）
この選果物用搬送ベルトＢＴは、選果物Ｒを搬送対象としたものであり図１〜図３に示すように、一対のローラＲ，Ｒ相互間に平行配置する態様で無端ベルト１，１を張設すると共に、前記無端ベルト１，１間にホルダ２を掛け渡してあり、前記一対の無端ベルト１，１のベルト長手方向と直交する仮想直線Ｌ１，Ｌ２上を、ホルダ２の無端ベルト１，１への取り付けの位置に設定してある。ここで選果物Ｒの平面視の直径は約１２０ｍｍ程度のものである。
【０００９】
無端ベルト１，１は、ベルト幅を５０ｍｍ程度としてあり、ゴムベルト（樹脂製平ベルト、樹脂製歯付きベルト等）としてある。前記無端ベルト１，１相互間距離は図２や図３に示すように選果物Ｒの直径よりも少し幅の広い１５０ｍｍ程度に設定してある。
【００１０】
ホルダ２は、図２や図３に示すように、基本的には厚み２〜５ｍｍの直方体状の弾性板により構成されており、ベルト長手方向の短辺２０の長さを１３０ｍｍに、ベルト長手方向と直交する長辺２１の長さを２５０ｍｍに、それぞれ設定してある。ここで、このホルダ２は、図２や図３に示すように、中央孔２２の周りに３０°間隔で１２個の小孔２３を３０°間隔で設けてあると共に、前記中央孔２２と小孔２３とを繋ぐ切込み２４（中央孔２２から外側に向かって３０°間隔で延び且つ小孔２３に至る放射線状の切込み２４）を入れてあり、これにより選果物Ｒを把持するための１２枚の片２５が形成されている。
【００１１】
ここで、ホルダ２の無端ベルト１，１への取り付けは、図５に示すように、ワッシャＷ、ボルトＢ、ナットＮによりネジ止めされており、そのネジによる取り付け位置は、同図及び図２に示すように、一対の無端ベルト１，１のベルト長手方向と直交する仮想直線Ｌ１，Ｌ２上（ベルト移動方向前方側の仮想直線Ｌ１上、ベルト移動方向後方側の仮想直線Ｌ２上）に設定してある。そして、ホルダ２におけるボルトＢが挿入される孔は、図２〜図４に示すように、仮想直線Ｌ２に位置する孔２７を円孔に、仮想直線Ｌ１に位置する孔２６をベルト長手方向に長い長孔に、それぞれ形成してある。なお、ボルトＢが有する薄い頭ｂは図５に示すように、無端ベルト１の内面に接着されており、ボルトＢのネジ部は無端ベルト１を貫通させてある。
【００１２】
なお、この選果物用搬送ベルトＢＴには、従来のものと同様に、当該ベルトＢＴの近傍に糖度、傷等をチェックする装置を設けてある。
（ホルダ２の機能について）
中央孔２２、小孔２３及び切込み２４が形成されたホルダ２部分に選果物Ｒを押し込むと、図４に示すように１２枚の片２５が弾性変形し、その結果選果物Ｒは把持される。
【００１３】
一方、選果物Ｒがホルダ２から取り出されると、弾性復帰して元の薄板状に形状は戻る。  したがって、タクト送りにおけるベルト停止及びベルト移動の際に慣性によって選果物Ｒがベルト上を転がったり、ベルト外へ転がり落ちることがない。
【００１４】
また、上記した如くホルダ２の無端ベルト１，１への取り付けは、一対の無端ベルト１，１のベルト長手方向と直交する仮想直線Ｌ１，Ｌ２上（ベルト移動方向前方側の仮想直線Ｌ１上、ベルト移動方向後方側の仮想直線Ｌ２上）に設定してあるから、選果物用搬送ベルトＢＴは平板形状にあるときでも、ローラＲに巻きついている湾曲形状にあるときでも、無端ベルト１，１に密着した状態が維持される。したがって、ローラＲが小径である場合でも無端ベルト１，１は円滑に回転駆動され、また、無端ベルト１に単に載置させただけのトレーとは相違して無端ベルト１から外れないので、無端ベルト１の回転と共に連続して使用できる。
【００１５】
この選果物用搬送ベルトＢＴは上記のような機能を有するので、選果物の搬送に使用されないラインが必要にならず、且つタクト送り時において選果物Ｒを安定保持できる。
（実施例１と類似する実施の形態について）
ホルダ２の無端ベルト１，１への取り付けを、図６に示すように、一対の無端ベルト１，１のベルト長手方向と直交する中央仮想直線Ｌ（短辺２０の中央部を通る仮想直線）上としてもよい。
【００１６】
また、ホルダ２の無端ベルト１，１への取り付けを、図６に示すように、一対の無端ベルト１，１のベルト長手方向と直交する中央仮想直線Ｌ２上のみとしてもよい。
【実施例２】
【００１７】
図７はこの発明の実施例２の選果物用搬送ベルトＢＴの斜視図を示している。
【００１８】
この選果物用搬送ベルトＢＴは、一対のローラＲ，Ｒ相互間に平行配置する態様で無端ベルト１，１を張設する点は実施例１と同じであるが、ホルダ２が図７に示すように、４本の保持桟２９により構成されており、前記４本の保持桟２９で囲まれる空域部分が選果物の保持部となっている点、二本の保持桟２９が一対の無端ベルト１，１のベルト長手方向と直交する仮想直線Ｌ１，Ｌ２上に各別に固定（又はボルト止め）してある点で相違している。
【００１９】
上記保持桟２９は、選果物の表面に傷が着かないことを考慮して、ゴム材ヤ比較的柔らかい樹脂材で構成されている。
【００２０】
上記した構成から明らかなようにこの選果物用搬送ベルトＢＴにおいても、ホルダ２は無端ベルト１，１から外れず、またタクト送りにおけるベルト停止及びベルト移動の際に慣性によって選果物Ｒがベルト上を転がったり、ベルト外へ転がり落ちることがない。
【００２１】
したがって、この選果物用搬送ベルトＢＴでは、選果物の搬送に使用されないラインが必要にならず、且つタクト送り時において選果物を安定保持できる。
（実施例２と類似する実施の形態について）
一対のローラＲ，Ｒ相互間に一本の無端ベルト１を張設し、前記無端ベルト１上の仮想直線Ｌ１，Ｌ２上にそれぞれ２本の保持桟２９を固定（又はボルト止め）して選果物の保持部を構成させることができる。
【００２２】
また、三本の保持桟２９により、選果物の保持部を構成させることができる。この場合、一本の保持桟２９を仮想直線Ｌ１，Ｌ２上のうちの一方に、２本の保持桟２９を他方に、取り付け又は固定するようにすればよい。
【実施例３】
【００２３】
この実施例３の選果物用搬送ベルトＢＴは、図８に示すように、タクト送りにおけるベルト停止及びベルト移動の際に慣性によって選果物Ｒがベルト上を転がったり、ベルト外へ転がり落ちることがないような上部開放の容器形状のホルダ２を使用したものであり、このホルダ２を一本の仮想直線Ｌで固定、ボルト止め、又はヒンジを介して止めるようにしている。この実施例３の選果物用搬送ベルトＢＴにおいても、上記実施例１、２と同等の効果を有することが明らかである。
（その他）
上記実施例では、無端ベルト１，１を平ベルトとし且つローラＲを円柱状のものとしているが、これに限定されることなく、図９に示すように、無端ベルト１，１におけるワッシャＷ、ボルトＢ、ナットＮが存在しない内側域部分を歯付き（歯付き部を符号１０で示す）とし、前記ローラＲの外周面内側域を歯付き部１０と噛み合う歯付き部（歯付き部を符号Ｒ１で示す）としてもよい。この場合、左右の無端ベルト１，１の移動は相互に同期することになるから当該無端ベルト１，１に捩じれが生じるようなことがない。
【図面の簡単な説明】
【００２４】
【図１】この発明の実施例１の選果物用搬送ベルトの正面図。
【図２】前記選果物用搬送ベルトの一端側の拡大斜視図。
【図３】前記選果物用搬送ベルトの一部平面図。
【図４】選果物を保持した前記選果物用搬送ベルトの断面図。
【図５】無端ベルトにホルダを止める形態を示す断面図。
【図６】前記実施例１と類似する実施の形態の選果物用搬送ベルトの平面図。
【図７】この発明の実施例２の選果物用搬送ベルトの斜視図。
【図８】この発明の実施例３の選果物用搬送ベルトの斜視図。
【符号の説明】
【００２５】
ＢＴ      選果物用搬送ベルト
Ｌ１      仮想直線
Ｌ２      仮想直線
Ｌ３      仮想直線
Ｒ        選果物
１        無端ベルト
２        ホルダ
２２      中央孔
２３      小孔
２４      切込み
２５      片
【図１】
2006089178.tif 000003
【図２】
2006089178.tif 000004
【図３】
2006089178.tif 000005
【図４】
2006089178.tif 000006
【図５】
2006089178.tif 000007
【図６】
2006089178.tif 000008
【図７】
2006089178.tif 000009
【図８】
2006089178.tif 000010